(57)【特許請求の範囲】
【請求項１】
中央にクライミングクレーンの支柱を立設して行われる鉄塔の建設工事において、建設途上の鉄塔上に据え付けて、クライミングクレーンの作業半径外で使用される吊り上げ装置であって、
組み立て途上の前記鉄塔上の水平の２点に固着される取付け金具と、
各取付け金具に基端が枢着され、先端側が互いに結合された２本のブーム支柱から成るブームと、
一端側に資材を吊支可能で、中間部がブームの先端部に取付けられた滑車及び前記クライミングクレーンの支柱に取付けられた滑車を介してこの支柱に沿って地上へ引き降ろされ、他端側がウインチに係止されたロードワイヤと、
一端側がブームの先端部に係止され、中間部が前記クライミングクレーンの支柱に取付けられた別の滑車を介してこの支柱に沿って地上へ引き降ろされ、他端側が別のウインチに係止された起伏用ワイヤとを具備することを特徴とする鉄塔上据付型吊り上げ装置。
【請求項２】
前記取付け金具が、組み立て途上で上方へ上端部が突出する鉄塔主柱材の突出した上端部に固着されていることを特徴とする請求項１に記載の鉄塔上据付型吊り上げ装置。
【請求項３】
前記取付け金具が、ボルトにて前記鉄塔主柱材の突出した上端部を挟持するための一対の挟持部材を有し、一方の挟持部材上に、前記ブーム支柱の基端を連結するための軸受部を有することを特徴とする請求項１又は２に記載の鉄塔上据付型吊り上げ装置。
【請求項４】
前記取付け金具が、前記ブーム支柱の基端を連結するための自在軸受部を有することを特徴とする請求項１ないし３に記載の鉄塔上据付型吊り上げ装置。
【発明の詳細な説明】
【０００１】
【産業上の利用分野】
本発明は、送電線用鉄塔の建設工事において、クライミングクレーンの作業半径外での資材の吊り上げ作業に用いられる鉄塔上据付型の吊り上げ装置に関するものである。
【０００２】
【従来の技術】
例えば図５に示す送電線用鉄塔３１の建設工事においては、建設中の鉄塔３１の中心にせり上げ式の支柱３６を組み、上端部にジブ３７を備えたクライミングクレーン３５が用いられている。このクライミングクレーン３５で、鉄塔３１の資材を吊り上げ、順次鉄塔を上方に組み上げていく。そして、組み上げに従って、クライミングクレーン３５の支柱３６をせり上げ、下部に順次支柱ユニットを継ぎ足していく。ところが、例えば、左右の送電線間の間隔を大きくとる場合には、鉄塔のアーム３２が大きく側方へ張り出した形式の鉄塔が設置される。このため、クライミングクレーン３５のジブ３７が鉄塔アーム３２の先端部まで達しないことがある。この場合には、アーム３２の先端部を構成する資材をクライミングクレーン３５で直接組み付け位置付近まで吊り上げることができない。
【０００３】
【発明が解決しようとする課題】
従って、本発明は、クライミングクレーンの作業半径外まで延出する鉄塔アームの先端部を組み付ける際に、資材を直接組み付け位置付近まで吊り上げることができる比較的簡易で安全な吊り上げ装置を提供することを課題としている。
【０００４】
【課題を解決するための手段】
本発明においては、上記課題を解決するため、組み立て途上においてアーム３２の上方へ上端部が突出する鉄塔主柱材３３のような水平の２点に取付け金具２を固着し、各取付け金具２にブーム支柱７の基端を枢着し、ブーム支柱７の先端側を互いに結合して、アーム３２の先端に達する起伏可能なブーム８を構成し、このブーム８の先端部に、滑車１２，１３を取付け、この滑車１２，１３及びクライミングクレーン３５の支柱３６に取付けられた滑車１６に、資材吊り上げ用のロードワイヤ１４を掛け回し、このロードワイヤ１４を支柱３６に沿って地上へ引き降ろしてウインチに係止し、またブーム８の起伏用ワイヤ１７の一端側をブーム８の先端部に係止し、中間をクライミングクレーン３５の支柱３６に取付けられた別の滑車１８に掛け、支柱３６に沿って地上へ引き降ろして、他端側を別のウインチに係止して鉄塔上据付型の吊り上げ装置を構成した。
【０００５】
【作用】
本発明の吊り上げ装置は、鉄塔のアーム３２の先端部の組み付け作業を行う際に、資材を吊り上げるために使用する。クライミングクレーン３５のジブ３７は、鉄塔アーム３２の先端部まで達しない。本発明の吊り上げ装置のブーム８は、鉄塔アーム３２の先端部まで達し、アーム３２の資材を吊り上げることができる。ブーム８が、Ｖ字型に組まれた２本のブーム支柱７，７で構成され、ブーム支柱７の基端が、アーム３２の上方へ上端部が突出する鉄塔主柱材３３の上端部のような水平の２点に設けられた取付け金具２に枢支されているので、横風を受けても揺動することなく安全である。構造が簡単で、組み立て、取外しも容易である。
【０００６】
【実施例】
図面を参照して本発明の一実施例を説明する。図１は吊り上げ装置の概略的正面図、図２は吊り上げ装置のブームの概略的平面図、図３は取付け金具の概略的正面図、図４は取付け金具の概略的平面図である。
【０００７】
図１において、３１は建設途上の送電線鉄塔である。鉄塔３１は、水平に側方へ張り出すアーム３２を有する。鉄塔３１を構成する主柱材３３（図１において左右に２本ずつ、合計４本）が下方から斜め上方に伸び、その上端部がアーム３２の基部に結合されている。左右の主柱材３３の上端部は、夫々アーム３２の上部の２本の水平鋼材から上方へ突出している。この突出部３４には、後に図示しない支柱が上方へ接続され、鉄塔１はさらに上方へ組み上げられる。鉄塔３１の中央部には、クライミングクレーン３５の支柱３６が立設されている。
【０００８】
吊り上げ装置１は、取付け金具２により、アーム３２上に設置されている。取付け金具２は、アーム３２の上方へ突出した主柱材３３の突出部３４に取付けられている。図３、図４に示すように、取付け金具２は、一対の挟持部材３，４を有する。挟持部材３，４間は、突出部３４を挟んでボルト、ナット５にて締め付けることができる。一方の挟持部材３上には、ブーム支柱７の基端を連結するための自在軸受部６が設けられている。ブーム８は、先端側においてほぼＶ字型に結合された２本のブーム支柱７によって構成されている。ブーム支柱７は、夫々基端側に軸受部９を有する。軸受部９は、取付け金具２の自在軸受部６に対応し、両者を貫通する軸により互いに自在に結合される。図２に示すように、ブーム８の中間部には、両ブーム支柱７間を結合する連結杆１０が設けられている。連結杆１０は、中間にターンバックル１１を有し、その調整によって両ブーム支柱７間を引き付けている。
【０００９】
図２に示すように、ブーム８の先端部には、滑車１２，１３が取付けられている。この滑車１２，１３には、資材を吊り上げるためのロードワイヤ１４の中間が掛け回されている。即ち、図１に示すように、ロードワイヤ１４は、一端がクライミングクレーン３５の支柱３６に係止され、滑車１２を介して垂下し、フックの滑車１５を介して折り返し、滑車１３を介してクライミングクレーン３５の支柱３６に取付けられた滑車１６に掛けられた後、支柱３６に沿って地上へ引き降ろされ、図示しないウインチに係止されている。また、ブーム８の先端部には、起伏用ワイヤ１７の一端が係止されている。起伏用ワイヤ１７は、クライミングクレーン３５の支柱３６に取付けられた別の滑車１８を介し、この支柱３６に沿って地上へ引き降ろされ、図示しない別のウインチに係止されている。
【００１０】
しかして、送電線用鉄塔３１の建設工事においては、資材の吊り上げのために、主としてクライミングクレーン３５が用いられる。そして、クライミングクレーン３５のジブ３７が届かないアーム３２の先端部を構成する資材を吊り上げるときに、吊り上げ装置１が使用される。即ち、鉄塔３１が所定の部分まで組み上がったら、支柱３６に滑車１６，１８を取り付けると共に、アーム３２の基部に位置する主柱材の突出部３４に取付け金具２を固定し、これにブーム８を支持する。ブーム８は、鉄塔アーム３２の先端部まで達し、アーム３２の資材を吊り上げることができる。資材の吊り上げは、ロードワイヤ１４を図示しない地上のウインチで巻き上げることにより行い、ブーム８の起伏動作は、ワイヤ１７を図示しない地上の別のウインチで操作することにより行う。ブーム８は、Ｖ字型に組まれた２本のブーム支柱７，７で構成され、その基端が、２本の主柱材３３の上端部に設けられた取付け金具２，２に枢支されているので、横風を受けても揺動することなく安全である。ブーム８が起伏動作すると、自在軸受部６により、取付け金具２に対するブーム支柱７の角度が支障なく変化する。
なお、何れのワイヤ１４，１７についても他の経路で掛け回すことができる。取付け金具２の取付け部位は、主柱材３３の上端部に限定されない。
【００１１】
【発明の効果】
以上のように、本発明においては、アーム３２の上方へ上端部が突出する鉄塔主柱材３３の上端部のような水平の２点に取付け金具２を固着し、各取付け金具２にブーム支柱７の基端を枢着し、ブーム支柱７の先端側を互いに結合して、アーム３２の先端に達する起伏可能なブーム８を構成し、このブーム８の先端部に、滑車１２，１３を取付け、この滑車１２，１３及びクライミングクレーン３５の支柱３６に取付けられた滑車１６に、資材吊り上げ用のロードワイヤ１４を掛け回し、このロードワイヤ１４を支柱３６に沿って地上へ引き降ろしてウインチに係止し、またブーム８の起伏用ワイヤ１７の一端側をブーム８の先端部に係止し、中間をクライミングクレーン３５の支柱３６に取付けられた別の滑車１８に掛け、支柱３６に沿って地上へ引き降ろして、他端側を別のウインチに係止して鉄塔上据付型の吊り上げ装置を構成したため、工事全体にたいしてわずかな数であるアーム３２の資材の吊り上げのためにクライミングクレーンを大型、大重量化させる必要がない。ブーム８が２本のブーム支柱７で構成されているから、横風を受けても揺動することなく安全である。構造が簡単で、組み立て、取外しも容易であるという効果を有する。
【図面の簡単な説明】
【図１】吊り上げ装置の概略的正面図である。
【図２】吊り上げ装置のブームの概略的平面図である。
【図３】取付け金具の概略的正面図である。
【図４】取付け金具の概略的平面図である。
【図５】従来の鉄塔建設工事の概略図である。
【符号の説明】
１    吊り上げ装置
２    取付け金具
７    ブーム支柱
８    ブーム
１２  滑車
１３  滑車
１４  ロードワイヤ
１８  滑車
１７  起伏用ワイヤ
３１  鉄塔
３２  アーム
３３  鉄塔主柱材
３５  クライミングクレーン
３６  支柱
【図１】
0003612366.tif 000002
【図２】
0003612366.tif 000003
【図３】
0003612366.tif 000004
【図４】
0003612366.tif 000005
【図５】
0003612366.tif 000006